(57)【要約】【課題】サムターン不正開錠操作の阻止をより確実なものにすることを目的とする。【解決手段】ドア６のサムターン７に対する不正開錠操作防止用金具１を、ドリルなどの穴あけ工具では簡単に穴が開けられることのない性状を有してサムターン露出用の穴部１３を形成したプレート部１１、および当該プレート部に連続して形成された起立壁状のサムターン囲み部１２などで構成する。不正開錠操作防止用金具１をドア内面６１に取り付ける際は、穴部１３をサムターンカラー７３に通して、プレート部１１とこれに対応するドア内面６１の部分とを両面接着テープやネジ止めなどにより固定する。穴部１３としてダルマ形状の穴部も開示する。この場合、不正開錠操作防止用金具１をドア内面６１に押し付けてからサムターンカラー７３との間に落とすことにより、当該金具はドア内面とサムターンカラーとで挟み込まれた形になる。【選択図】図１
2005113571.tif 000002
【特許請求の範囲】
【請求項１】
ドアに設置されているサムターンに対する外部からの不正開錠操作を防止するための金具において、
ドリルなどの穴あけ工具では簡単に穴が開けられることのない性状を有して、前記サムターン周辺のドア内面部分をカバーし、かつ、当該ドア内面部分に取り付けられたときに前記サムターンを露出させるためのサムターン用穴部を形成したプレート部と、
前記プレート部に連続して形成された起立壁状のサムターン囲み部とからなる、
ことを特徴とする不正開錠操作防止用金具。
【請求項２】
前記サムターン用穴部を、前記サムターンの環状保持部材通過用の第１の開口部分と、これに続くずらし取付け用の第２の開口部分とで形成した、
ことを特徴とする請求項１記載の不正開錠操作防止用金具。
【請求項３】
前記ドアを閉めたときの前記サムターン近くのドア隙間部分を塞ぐための延長プレート部を併せ備えている、
ことを特徴とする請求項１または２記載の不正開錠操作防止用金具。
【請求項４】
ドアに取り付けられる錠開閉操作用のサムターンにおいて、
その操作部の周面部分を曲面状とし、かつ、当該周面部分の一部に本来の前記錠開閉操作時の取っ掛かりとなりえるへこみ部または平坦部を形成した、
ことを特徴とする不正開錠操作防止用サムターン。
【発明の詳細な説明】
【技術分野】
【０００１】
本発明は、ドア内面のサムターン周辺部分に取り付けて、ドア内側のサムターン（屋内側に露出している開閉つまみ）に対する外部からの不正開錠操作を防止するための金具に関し、特にサムターン周辺のドア部分にドリル等で穴をあけられて、この穴からサムターンが不正開錠操作されることを防止するものである。
【０００２】
また、不正開錠操作防止用サムターンに関し、特にその周面部分の基本を曲面形状としたピッキング防止対応のサムターンに関する。
【背景技術】
【０００３】
従来の、サムターンの不正開錠操作を防止するための手法としては、
・サムターン全体を箱状のカバー体で覆ってしまうこと
・サムターン自体に円形状，お椀状，半球状のキャップを取り付けて両者を一体化すること
・サムターンの周りにリング状などの囲い壁を設けること
などが知られている（例えば特許文献１，２，３参照）。
【０００４】
いずれも、屋内への違法侵入を企てようとする者が、ドアの隙間などに専用工具などを差し込んでからこれを操作してサムターンを不正開錠する、などの犯罪行為の阻止を図るものであり、それぞれ一定の効果を奏している。
【０００５】
また、サムターン自体の周面部分には平面からなるつまみ部を形成して、サムターンを用いた本来の錠開閉操作が行いやすいようになっている。
【特許文献１】特開２００３−０５６２１８号公報
【特許文献２】特開２００３−１８４３５７号公報
【特許文献３】特開２００３−２２７２５２号公報
【発明の開示】
【発明が解決しようとする課題】
【０００６】
このような従来のサムターンの不正開錠操作防止用のツールは、いずれも屋内に差し込まれた工具でサムターンが回動されないようにする、すなわちこの差し込まれた工具の操作によってサムターンを当該工具の一部に引っ掛けたり、または当該工具の一部でつまんだりできないようにする、ことを主眼にしている。
【０００７】
そのため、これら従来のツールは、ドア自体にドリルなどで穴をあけるといったような一段と手荒な犯罪手口に対しては何ら役にたたないという、という問題点があった。
【０００８】
そこで、本発明では、サムターンに対する不正開錠操作防止用金具を、サムターン周辺のドア内面部分をカバーする強性状のプレート部と、これに連続する壁上のサムターン囲み部とを少なくとも有する形にし、サムターン近くのドア部分の穴あけ作業の困難化を図るとともに、例えば当該プレート部の外側に空けられたドア穴からのサムターン操作の困難化も図って、サムターンの不正開錠操作の阻止をより確実なものにすることを目的とする。
【０００９】
また、ドアを閉めたときのサムターン近くのドア隙間部分を塞ぐ延長プレート部を設けて、ドア隙間部分からのサムターン不正開錠操作についても阻止することを目的とする。
【００１０】
さらには、サムターン操作部の周面形状を曲面基調のものとして、サムターンに対するピッキング行為についても阻止することを目的とする。
【課題を解決するための手段】
【００１１】
本発明は、以上の課題を次のようにして解決する。
（１）ドアに設置されているサムターン（例えば後述のサムターン７，７′）に対する外部からの不正開錠操作を防止するための金具（例えば後述の不正開錠操作防止用金具１）において、ドリルなどの穴あけ工具では簡単に穴が開けられることのない性状を有して、前記サムターン周辺のドア内面部分をカバーし、かつ、当該ドア内面部分に取り付けられたときに前記サムターンを露出させるためのサムターン用穴部（例えば後述の穴部１３）を形成したプレート部（例えば後述のプレート部１１）と、前記プレート部に連続して形成された起立壁状のサムターン囲み部（例えば後述の起立壁状部１２）を設ける。
（２）上記（１）において、前記サムターン用穴部を、前記サムターンの環状保持部材（例えば後述のサムターンカラー７３）通過用の第１の開口部分（例えば後述の第１の開口部５３ａ）と、これに続くずらし取付け用の第２の開口部分（例えば後述の第２の開口部５３ｂ）とで形成する。
（３）上記（１），（２）において、前記ドアを閉めたときの前記サムターン近くのドア隙間部分を塞ぐための延長プレート部（例えば後述の延長プレート部３４）を設ける。
（４）サムターン操作部（例えば後述の操作部７２）の周面部分（例えば後述の操作部７２）を曲面状とし、かつ、当該周面部分の一部に本来の前記錠開閉操作時の取っ掛かりとなりえるへこみ部（例えば後述の凹状部７２ａ）または平坦部を形成する。
【発明の効果】
【００１２】
本発明の不正開錠操作防止用金具は、このようにサムターン周辺のドア内面部分をカバーする強性状のプレート部と、これに連続する壁上のサムターン囲み部とを少なくとも有しているので、サムターン近くのドア部分の穴あけ作業の困難化を図るとともに、例えば当該プレート部の外側に空けられたドア穴からのサムターン操作の困難化も図って、サムターンの不正開錠操作の阻止をより確実なものにすることができる。
【００１３】
また、サムターン近くのドア隙間部分を塞ぐ延長プレート部を設けているので、ドア隙間部分からのサムターン不正開錠操作についても阻止することができる。
【００１４】
また、サムターン操作部の周面部分を（把持しやすい平面部ではなく）いわば曲面ベースとして不正開錠用工具による外部からのサムターン保持の困難化を図っているので、サムターンに対するピッキング行為についても阻止することができる。
【発明を実施するための最良の形態】
【００１５】
図１乃至図６を用いて本発明の実施の形態を説明する。
図１は、延長プレート部なしの不正開錠操作防止用金具（その１）を示し、
図２は、延長プレート部なしの不正開錠操作防止用金具（その２）を示し、
図３は、延長プレート部ありの不正開錠操作防止用金具を示し、
図４は、延長プレート部なしの不正開錠操作防止用金具（その３）を示し、
図５は、延長プレート部なしの不正開錠操作防止用金具（その４）をドア内面に取り付けるときの様子を示し、
図６は、図１の不正開錠操作防止用金具（その１）と新たなサムターンとを組み合わせた場合を示している。
【００１６】
これらの図において、
１は延長プレート部なしの不正開錠操作防止用金具（その１），１１は当該金具のプレート部，１２は当該プレート部のドア側面側を除く３辺に連続する形で設けた起立壁状部（サムターン囲み部），１３は後述のサムターンカラー７３に対応した穴部，
２は延長プレート部なしの不正開錠操作防止用金具（その２），２１は当該金具のプレート部，２２は当該プレート部のすべての辺に連続する形で設けた起立壁状部（サムターン囲み部），２３は後述のサムターンカラー７３に対応した穴部，
３延長プレート部ありの不正開錠操作防止用金具，３１は当該金具のプレート部，３２は当該プレート部のドア側面側を除く３辺に連続する形で設けた起立壁状部（サムターン囲み部），３３は後述のサムターンカラー７３に対応した穴部，３４はドアを閉めたときのドア枠（図示省略）などとの隙間を塞ぐための延長プレート部，
４は延長プレート部なしの不正開錠操作防止用金具（その３），４１は当該金具のプレート部，４２は当該プレート部のドア側面側を除く３辺に連続する形で設けた起立壁状部（サムターン囲み部），４３は後述のサムターンカラー７３に対応した上方穴部，４４は後述のハンドルレバー８に対応した下方穴部，
５は延長プレート部なしの不正開錠操作防止用金具（その４），５１は当該金具のプレート部，５２は当該プレート部のドア側面側を除く３辺に連続する形で設けた起立壁状部（サムターン囲み部），５３は後述のサムターンカラー７３に対応したいわゆるダルマ状の穴部，５３ａはドア内面に取り付けられるときの当該金具がサムターンカラー７３を通過するための第１の開口部，５３ｂはこのサムターンカラーを通過した当該金具を図示の下方向にずらしてサムターンカラー７３とドア内面との間に挟み込むための第２の開口部，
６はドア，６１は不正開錠操作防止用金具の取付けの対象となるドア内面，６２はドアを閉めたときにドア枠（図示省略）との隙間を生じるドア側面，
７および７′はドア６に取り付けられたサムターン，７１は周知のサムターン７の摘み部，７２は新たなサムターン７′の一部であって筒状面とこれの室内側に続くドーム状のテーパ面からなる操作部，７２ａは当該筒状面に形成した摘まみ用の凹状部,７３は当該サムターンのそれぞれを保持している末広がりのスカート状のサムターンカラー，
８はドア６に取り付けられた周知のレバーハンドル，８１は当該レバーハンドルの位置出し用の環状案内部（図示省略）にネジ止めされた丸座，
９はドア側面６２に取り付けられた周知の錠箱，
をそれぞれ示している。
【００１７】
ここで、不正開錠操作防止用金具１，２，３および４の各プレート部は、ドリルなどでは簡単に穴を開けることができない性状を有するもの（例えば炭素鋼，ステンレス鋼，チタン鋼，モリブデン鋼などの鉄鋼や、アルミ，チタン，銅，ニッケルなどの非鉄金属およびこれら非鉄金属の合金からなり、また必要に応じて焼入れなどの熱処理を施したもの）である。なお、起立壁状部１２，２２，３２，４２や延長プレート部３４をこれらプレート部と同様の性状のものにするかどうかは任意である。
【００１８】
また、不正開錠操作防止用金具１，２および４はそれぞれ外開き用のドアを対象とし、不正開錠操作防止用金具３は内開き用のドアを対象としている。外開き用の各ドアの起立壁状部（サムターン囲み部）１２，２２，４２，５２における、ドア側面６２から続く起立縁部分（起立壁状部１２，４２，５２の場合）や起立面（起立壁状部２２の場合）は、当然のことながら各ドアが開閉できるような形状、すなわちドア内面６１から離れるほどドアの回動軸側に入り込むかたち、例えばアールを付けた形になっている。
【００１９】
また、サムターンカラー７３はサムターン７とは別体のもので、そのドア側の縁部分がドア内面６１に当接している。
【００２０】
この当接状態は、
(a) サムターンカラー７３を、その内側のサムターン部分との間に設けた弾性体（図示省略）によりドア内面６１の方に付勢する、
(b) サムターンカラー７３を、ネジ結合によりドア内面６１や錠箱９などに取り付ける、
などの各手法により設定されている。
【００２１】
サムターンカラー７３は、サムターン７との間で、その前後方向（ドア内面に垂直な方向）に対してスペース上のゆとりがある。
【００２２】
すなわち、上記(a)，(b)のそれぞれについて、
(a)′サムターンカラー７３を、そのドア側の縁部分が上記弾性体の付勢力に抗する形でドア内面６１から離れた位置に、移動させることができ、
(b)′サムターンカラー７３を、そのドア側の縁部分がドア内面６１から離れた位置で、ネジ止めすることができる。
【００２３】
図１の不正開錠操作防止用金具１は、
・サムターン７の周辺部をカバーするプレート部１１
・当該プレート部の図示３辺に連続する起立壁状部１２
・サムターンカラー７３のドア内面側の縁部に合致してこれより少し大きい穴部１３
からなっている。
【００２４】
また、図２の不正開錠操作防止用金具２は、
・サムターン７の周辺部をカバーするプレート部２１
・当該プレート部の図示４辺に連続する起立壁状部２２
・サムターンカラー７３のドア内面側の縁部に合致してこれより少し大きい穴部２３
からなっている。
【００２５】
また、図３の不正開錠操作防止用金具３は、
・サムターン７の周辺部をカバーするプレート部３１
・当該プレート部の図示３辺に連続する起立壁状部３２
・サムターンカラー７３のドア内面側の縁部に合致してこれより少し大きい穴部３３
・ドア閉時のドア隙間を塞ぐための延長プレート部３４
からなっている。
【００２６】
また、図４の不正開錠操作防止用金具４は、
・サムターン７およびレバーハンドル８の周辺部をカバーするプレート部４１
・当該プレート部の図示３辺に連続する起立壁状部４２
・サムターンカラー７３のドア内面側の縁部に合致してこれより少し大きい上方穴部４３
・レバーハンドル８の丸座８１に合致してこれより少し大きい下方穴部４４
からなっている。
【００２７】
また、図５の不正開錠操作防止用金具５は、
・サムターン７およびレバーハンドル８の周辺部をカバーするプレート部５１
・当該プレート部の図示３辺に連続する起立壁状部５２
・サムターンカラー７３に対応したダルマ状の穴部５３，当該穴部の一部であって当該カラーのドア内面側の縁部に合致してこれより少し大きい第１の開口部５３ａ，同じく当該穴部の一部であって当該開口部の上方に続く（当該開口部よりも小さい）第２の開口部５３ｂ，
からなっている。
【００２８】
図６は、図１の不正開錠操作防止用金具１と新たな形状のサムターン７′とを用いたときの金具設定状態を示している。
【００２９】
このサムターン７′は、その操作部７２を筒状面で構成してピッキング用工具などでは略つかめないようにした点で、周知のサムターン７と相違する。この筒状面には、室内からの本来の開錠・施錠操作の利便性を確保するための凹状部７２ａが形成されている。当該凹状部の個数は任意であり、例えば２,３個としている。また、当然のことながら、サムターン７′と他の不正開錠操作防止用金具２〜５との組合せも図６の場合と同じようにありえる。
【００３０】
以上の不正開錠操作防止用金具１〜５のそれぞれをドア内面６１に取り付ける際には、
(1)金具のプレート部１１〜５１の裏面（＝ドア内面側）と ドア内面６１の対応部分との間に両面接着テープを用いる、
(2)各金具のプレート部１１〜５１をネジ止めなどによりドア６に固定する、
(3)金具５のプレート部５１をサムターンカラー７３とドア内面６１との間に挟みこむ、
などの各種手法を用いる。これらの手法を併用してもよいことは勿論である。
【００３１】
ここで、不正開錠操作防止用金具１，２，３の取付けの場合は、
(s11)それぞれの穴部１３，２３および３３をサムターンカラー７３に通し、
(s12)上記(1),(2)などの手法を用いる。
【００３２】
また、不正開錠操作防止用金具４の取付けの場合は、
(s21)先ず、例えば軸部分（図示省略）にネジ止めされているレバーハンドル８を取り外し、
(s22)当該金具の上方穴部４３をサムターンカラー７３に、また下方穴部４４を丸座８１にそれぞれ通し、
(s23)上記(1),(2)などの手法を用いる。
【００３３】
また、不正開錠操作防止用金具５の取付けの場合は、
(s31)当該金具の第１の開口部５３ａをサムターンカラー７３に通し、
(s32)上述のように弾性力でドア内面の方に付勢されているサムターンカラー７３を手前（ドア内面６１から離れる方向）に引いてドア内面との隙間を作り、
(s33)この隙間のサムターン７の部分に当該金具（の第２の開口部５３ｂ）を下方に落とし込んでから、サムターンカラー７３を弾性力により復帰させる、すなわち上記(3)の手法による当該金具の挟み込みを行い、
(s34)さらには上記(1),(2)などの手法を用いる。
【００３４】
なお、サムターンカラー７３が上記(b)のネジ止めにより取り付けられている場合には、このネジ止めを調整することにより上記（s32），(s33)の隙間設定および挟み込みの作業を行う。
【００３５】
また、上記(s33)における不正開錠操作防止用金具５の挟み込みの後で上記(s34)の手法を用いるかどうかは任意である。
【００３６】
この挟み込み処理のために必要な構成要件である第２の開口部５３ｂの位置は、図示のように第１の開口部５３ａの上方に限定されるものではなく、当該開口部５３ａに対する任意の方向（左右，下，斜めなど）でよい。もっともこの場合の上記(s33)の処理においては、その位置方向に応じて、それと逆方向に不正開錠操作防止用金具５を移動させなければならない。
【００３７】
また、サムターン７，サムターンカラー７３やレバーハンドル８，丸座８１などを周知の方法でドア６から取り外した上で、不正開錠操作防止用金具１〜５をドア内面６１に取り付けるようにしてもよい。なお、当該金具の取付けの際に図１のサムターン７を図６のサムターン７′に取り替えるようなケースも、この場合に該当する。
【００３８】
この場合、各金具の穴部１３，２３，３３，上方穴部４３および第１の開口部５３ａそれぞれの形状はサムターンカラー７３のドア内面側の縁部よりも小さくて、かつ、サムターン７などの元の状態への再設定を阻害しない程度のものにしてもよい。
【００３９】
また、不正開錠操作防止用金具４の下方穴部４４の形状はレバーハンドル８の丸座８１の縁部よりも小さくて、かつ、レバーハンドル８などを元の状態への再設定を阻害しない程度のものにしてもよい。
【００４０】
このようにサムターンカラー７３のドア内面側の縁部や丸座８１の縁部よりも小さな穴部などを有する不正開錠操作防止用金具は、それぞれ当該サムターンカラーなどとドア内面６１との間に挟み込まれる。すなわち、上記(3)の手法が用いられることになる。このとき上記(1),(2)などの手法を併用してもよいことは勿論である。
【図面の簡単な説明】
【００４１】
【図１】本発明の、延長プレート部なしの不正開錠操作防止用金具（その１）を示す説明図である。
【図２】本発明の、延長プレート部なしの不正開錠操作防止用金具（その２）を示す説明図である。
【図３】本発明の、延長プレート部ありの不正開錠操作防止用金具を示す説明図である。
【図４】本発明の、延長プレート部なしの不正開錠操作防止用金具（その３）を示す説明図である。
【図５】本発明の、延長プレート部なしの不正開錠操作防止用金具（その４）をドア内面に取り付けるときの様子を示す説明図である。
【図６】本発明の、図１の不正開錠操作防止用金具（その１）と新たな形状のサムターンとを組み合わせた場合を示す説明図である。
【符号の説明】
【００４２】
１：延長プレート部なしの不正開錠操作防止用金具（その１）
１１：プレート部
１２：起立壁状部（サムターン囲み部）
１３：穴部
２：延長プレート部なしの不正開錠操作防止用金具（その２）
２１：プレート部
２２：起立壁状部（サムターン囲み部）
２３：穴部
３：延長プレート部ありの不正開錠操作防止用金具
３１：プレート部
３２：起立壁状部（サムターン囲み部）
３３：穴部
３４：延長プレート部
４：延長プレート部なしの不正開錠操作防止用金具（その３）
４１：プレート部
４２：起立壁状部（サムターン囲み部）
４３：上方穴部
４４：下方穴部
５：延長プレート部なしの不正開錠操作防止用金具（その４）
５１：プレート部
５２：起立壁状部（サムターン囲み部）
５３：ダルマ状の穴部
５３ａ：第１の開口部
５３ｂ：第２の開口部
６：ドア
６１：ドア内面
６２：ドア側面
７：周知のサムターン
７１：摘み部
７′：新たな形状のサムターン
７２：操作部
７２ａ：摘まみ用の凹状部
７３：サムターンカラー
８：レバーハンドル
８１：丸座
９：錠箱
【図１】
2005113571.tif 000003
【図２】
2005113571.tif 000004
【図３】
2005113571.tif 000005
【図４】
2005113571.tif 000006
【図５】
2005113571.tif 000007
【図６】
2005113571.tif 000008